(57)【要約】【課題】光源光の指向性に影響されることなく復帰スイッチの位置を確実に認識できるようにし、かつ復帰スイッチを押したときのクリック感を確実に得ることができるようにする。【解決手段】流量計測装置の一例であるガスメータの遮断弁は、ガス使用中にマイコンが異常事態の発生を検知し、もしくはガス器具から異常信号が入力した場合に、ガスが供給されないよう閉じられる弁である。閉じられた遮断弁は、下カバー４に設けられた復帰スイッチ部６のゴム部材１１を押圧することにより開放されて、元の状態に復帰させることができる。ここで復帰スイッチ部６は、ガスが遮断されると、ゴム部材１１の周囲に環状に設けられている発光リング１６を点灯させる。これにより夜間や暗い場所等での作業においても確実な復帰操作が可能となっている。またゴム部材１１によって直接復帰スイッチが押されるため、操作者はそのクリック感を確実に得ることができる。【選択図】図２
2008216033.tif 000002
【特許請求の範囲】
【請求項１】
流体の流量計測手段と、流体の流路に備えられた遮断弁を駆動させる操作を行うためのスイッチとを備えた流量計測装置であって、該流量計測装置は、光源と、該光源から出射した光を伝播させて前記スイッチの周囲から出射させることにより、前記スイッチの周囲を発光させる発光部材とを備え、前記遮断弁が作動してガス流路を遮断した際に、前記光源からの出射光を前記発光部材から発光させることを特徴とする流量計測装置。
【請求項２】
請求項１に記載の流量計測装置において、前記発光部材は、樹脂材料で形成され、該樹脂材料の周囲表面の少なくとも一部にシボ加工が施されてなっていることを特徴とする流量計測装置。
【請求項３】
請求項１に記載の流量計測装置において、前記発光部材は、樹脂材料で形成され、該樹脂材料の周囲表面の少なくとも一部に、前記発光部材の内部を伝播する光を反射させる反射面が形成されていることを特徴とする流量計測装置。
【請求項４】
請求項３に記載の流量計測装置において、前記反射面は、前記樹脂材料に塗料が塗布されることにより形成されていることを特徴とする流量計測装置。
【請求項５】
請求項１に記載の流量計測装置において、前記発光部材は、前記スイッチの周囲から光を出射させる発光面を有し、該発光面には、プリズムカット形状が形成されていることを特徴とする流量計測装置。
【請求項６】
請求項１ないし５のいずれか１に記載の流量計測装置において、該流量計測装置は、ガスの流量計測を行うガスメータであることを特徴とする流量計測装置。
【発明の詳細な説明】
【技術分野】
【０００１】
本発明は流量計測装置に関し、より詳細には、流体流路の遮断弁を駆動させる操作を行うためのスイッチを備えたガスメータなどの流量計測装置に関する。
【背景技術】
【０００２】
近年のガスメータとしては、ガス使用量の積算値、使用時の異常情報等を監視する電子式のガスメータ（マイコンメータ）が普及しており、通信回線を使用して消費者からガス事業者へガス使用量の積算値に関する自動検針データやガス使用時の異常情報を送信する集中監視システムも普及している。ダイヤフラムを用いたガスメータでは、ダイヤフラムの機械的運動をセンサ等により電気的に検出し、この検出信号に基づいてガスの長時間使用等の異常等についても監視を行っている。
【０００３】
ガスメータの安全性を確保する機能としては、流量パルス演算時にガス使用が異常であることを内蔵マイコンが判断した場合や、外部機器に接続された機器より以上信号が入力された場合に、マイコンが遮断弁駆動回路に信号を送って遮断弁を駆動することによりガスを遮断するとともに、異常情報を液晶表示装置に表示する。また、通信回線や読み出し器に接続して検針データや異常情報等の通信を行うことができる。
【０００４】
このように、マイコンを内蔵した近年のガスメータは、多様な機能を有し安全性においてより高度なものとなり、液晶表示装置に表示される事項も複雑となっており、特に遮断弁が閉じられた際の復帰操作については消費者自らが操作しなければならない場合が多い。
【０００５】
このようなマイコンガスメータの復帰操作に関し、例えば特許文献１には、夜間等においても開弁スイッチの位置を容易に確認でき、消費者が迷うことなく開弁スイッチを操作できるようにしたマイコンガスメータの遮断弁開弁スイッチ構造が開示されている。
ここでは、遮断開弁スイッチ構造は、ガスメータ本体の内部に設けられ双方向遮断弁が閉弁したとき点灯または点滅する光源と、ガスメータ本体の内部に設けられスイッチオンによって双方向遮断弁を開弁可能な復帰スイッチと、ガスメータ本体に復帰スイッチをスイッチオン可能に設けられ、光源の点灯、点滅光を外部に透光可能な押しボタンキーを有する押しボタン部とを具備している。
【特許文献１】特許第３５６６１２８号公報
【発明の開示】
【発明が解決しようとする課題】
【０００６】
上記特許文献１の構成は、復帰スイッチをオン・オフするための押しボタンキー自体を発光させる構成であるため、利用者が操作する半球状の押圧部の中心部のみが発光することになる。このような構成では、光源からの出射光の指向性により、ガスメータの正面から光を視認できる範囲が限られてしまう、という問題が生じる。
さらに特許文献１の構成は、光源からの光を透過させる押しボタンキーにより復帰スイッチを押すため、利用者は、復帰スイッチを押したときの感覚（クリック感覚）が得にくく、復帰スイッチが確実に押されたかどうかを判別でき難くなる、とう問題も生じる。
【０００７】
本発明は、上述のごとき実情に鑑みてなされたもので、光源光の指向性に影響されることなく復帰スイッチの位置を確実に認識できるようにし、かつ復帰スイッチを押したときのクリック感を確実に得ることができるようにした復帰スイッチ構造を備える流量計測装置を提供することを目的とするものである。
【課題を解決するための手段】
【０００８】
請求項１の発明は、流体の流量計測手段と、流体の流路に備えられた遮断弁を駆動させる操作を行うためのスイッチとを備えた流量計測装置であって、流量計測装置は、光源と、光源から出射した光を伝播させてスイッチの周囲から出射させることにより、スイッチの周囲を発光させる発光部材とを備え、遮断弁が作動してガス流路を遮断した際に、光源からの出射光を発光部材から発光させることを特徴としたものである。
【０００９】
請求項２の発明は、請求項１の発明において、発光部材が、樹脂材料で形成され、樹脂材料の周囲表面の少なくとも一部にシボ加工が施されてなっていることを特徴としたものである。
【００１０】
請求項３の発明は、請求項１の発明において、発光部材が、樹脂材料で形成され、樹脂材料の周囲表面の少なくとも一部に、発光部材の内部を伝播する光を反射させる反射面が形成されていることを特徴としたものである。
【００１１】
請求項４の発明は、請求項３の発明において、反射面が、樹脂材料に塗料が塗布されることにより形成されていることを特徴としたものである。
【００１２】
請求項５の発明は、請求項１の発明において、発光部材が、スイッチの周囲から光を出射させる発光面を有し、発光面には、プリズムカット形状が形成されていることを特徴としたものである。
【００１３】
請求項６の発明は、請求項１ないし５のいずれかの発明において、流量計測装置が、ガスの流量計測を行うガスメータであることを特徴としたものである。
【発明の効果】
【００１４】
本発明によれば、光源光の指向性に影響されることなく復帰スイッチの位置を確実に認識できるようにし、かつ復帰スイッチを押したときのクリック感を確実に得ることができるようにした復帰スイッチ構造を備える流量計測装置を提供することができる。
【発明を実施するための最良の形態】
【００１５】
図１は、本発明による流量計測装置の外観構成の一例を示す図で、流量計測装置の一例であるガスメータの構成例を示すものである。図１において、１はガスメータ、２は上カバー、３は機械式カウンタ、４は下カバー、５は液晶表示装置、６は復帰スイッチ部、１１は復帰スイッチゴム部材、１６は発光リングである。
ガスメータ１は、内部にダイヤフラム式流量計測手段や遮断弁を収納する本体ケース（図１の紙面奥側）に対して、内部に機械式カウンタ３を収納する上カバー２と、内部に回路基板や液晶表示装置５を収納する下カバー（コントロール部カバー）４が取り付けられている。機械式カウンタ３は、ダイヤフラムの機械的運動に連動した数字車によって積算値の表示を行う。また、液晶表示装置５は、下カバー４内に収納されている回路基板上の保安部から出力される監視情報の表示を行い、警報等を表示する。
【００１６】
ガスメータ１の内部に配設された遮断弁は、ガス使用中にマイコンが監視情報に基づき異常事態の発生を検知した場合や、接続されたガス器具より異常信号が入力された場合に、遮断弁駆動回路によってガスメータ１からガスが供給されないように閉じられる弁である。閉じられた遮断弁は、下カバー４に設けられた復帰スイッチ部６のゴム部材１１を利用者が押圧することにより開放されて、元の状態に復帰させることができる。
ここで復帰スイッチ部６は、ガスが遮断されると、ゴム部材１１の周囲に環状に設けられている発光リング１６を点灯させる。これにより夜間や暗い場所等での作業においても確実な復帰操作が可能となっている。上記の復帰スイッチ部６は、遮断弁を駆動させる操作を行うための本発明のスイッチに該当し、発光リング１６は、スイッチの周囲を発光させる本発明の発光部材に該当する。
【００１７】
図２は、本発明に関わるガスメータの復帰スイッチの取り付け部の構成例を示す部分断面図である。スイッチ部６は、利用者が操作するためのゴム部材１１と、そのゴム部材１１の周囲を環状に発光させるための発光リング１６とを有している。ここでは、下カバー４の壁部の円形の開口４ａに対して、その内側から発光リング１６が取り付けられ、さらに発光リング１６の貫通孔１６ｄに対してゴム部材１１が内側から挿入されている。下カバー４の壁部と発光リング１６との間にはＯリング１２が配設される。
ゴム部材１１は、利用者による操作が行われる操作部１１ｃと、操作部１１ｃの反対側で復帰スイッチ１５に作用するように設けられた柱状部１１ａと、柱状部１１ａの中心軸に対して外側方向に曲折された曲折部１１ｂとを有している。
【００１８】
そして発光リング１６とゴム部材１１の曲折部１１ｂとを、下カバー４の壁部と間で挟み込むように復帰スイッチ押さえ板１３が配設され、復帰スイッチ押さえ板取り付けねじ１４により、復帰スイッチ押さえ板１３が下カバー４の壁部に固定されている。これにより、発光リング１６とゴム部材１１とが下カバー４の壁部に取り付けられている。ガスメータの正面から見ると、図１に示すように、ゴム部材１１の周囲に環状に発光リング１６が配置するようになっている。
【００１９】
そして上述のように、ガスメータのマイコンによる異常検知に基づいて遮断弁が閉じられた場合、復帰スイッチ部６を利用者が操作することにより、遮断弁を再び開放させることができる。この場合、復帰スイッチ部６のゴム部材１１を利用者が押し込むことにより、ゴム部材１１が変形し、ゴム部材１１の柱状部１１ａが図２の下方に変位して、その先端により復帰スイッチ１５が押される。これにより、ガスメータの遮断弁が電気的に開放され、ガスの利用を再開することができるようになっている。ここでは、利用者が操作するゴム部材１１により直接復帰スイッチ１５が押されるため、利用者は、復帰スイッチ１５を押したときの感覚（クリック感覚）を十分に得ることができ、復帰スイッチ１５が押されたかどうかを確実に判別することができる。
【００２０】
上記の発光リング１６は、透明もしくは半透明の透光性の樹脂材料で形成されている。樹脂材料としては、例えば、ポリカーボネート、アクリル、ポリスチレンなどの材料を用いることができるが、これらに限定されることなく適宜最適な材料を選択できる。
そして発光リング１６は、ＬＥＤ１７による光源を収容するための円筒部１６ａと、円筒部１６ａに収容されたＬＥＤ１７からの出射光を反射させる反射面１６ｃと、ＬＥＤ１７からの出射光をガスメータの外部へ出射させる発光面１６ｂとを有している。発光面１６ｂは、発光リング１６の貫通孔１６ｄの周囲の壁部前側（図２では上側）の円形の面を指すものとする。
【００２１】
反射面１６ｃは、円筒部１６ａに収容されたＬＥＤ１７からの出射光が反射する斜面により形成される。反射面１６ｃは、ＬＥＤ１７からの出射光の光軸に対して斜めに設置され、その反射光を貫通孔１６ｄの方向に反射させる。そして発光リング１６の内部を伝播した反射光、及び反射面１６ｃで反射することなく伝播したＬＥＤ１７からの出射光（の少なくとも一部）が発光面１６ｂに導光されて、その発光面１６ｂから出射する。これにより、ガスメータ１においては、復帰スイッチ部６の外周部分の発光リング１６を適宜発光させることができる。
【００２２】
ＬＥＤ１７は、ガスが遮断されると発光し、復帰スイッチ部６が操作されてガスの遮断が解除されると消灯するように制御される。
あるいは、発光色の異なる複数のＬＥＤ１７を備え、例えばガスが遮断されたときに赤色の発光を行い、復帰スイッチ部６が操作されてガスの遮断が解除されると緑色に発光するように制御し、通常時の状態に戻ったときにいずれのＬＥＤも消灯するように構成することもできる。またＬＥＤ１７は、点滅による点灯動作を行うようにしてもよい。
【００２３】
図３は、本発明のガスメータに適用する発光リングの構成例を説明するための斜視図である。発光リング１６の一実施形態は、ＬＥＤによる発光部を収容するための円筒部１６ａと、円筒部１６ａに収容されたＬＥＤからの出射光を反射させる反射面１６ｃと、ＬＥＤからの出射光をガスメータ１の外部へ出射させる円形の発光面１６ｂとを有している。
【００２４】
反射面１６ａは、光を効率的に反射させる構成を適宜採用することができる。一例として、発光リング１６を構成する樹脂材料に対して、反射率の高い塗料を塗布することにより反射面１６ｃを構成することができる。またこの他、反射率の高い表面を有する膜やフィルムを上記の樹脂材料に対して貼り付けて形成するようにしてもよい。
【００２５】
円筒部１６の内部に収容されたＬＥＤからの出射光は、発光リング１６の内部を伝播し、その少なくとも一部が発光面１６ｂから出射する。発光リング１６の内部では、発光リング１６と外部雰囲気との界面で全反射した光がさらに伝播し、発光面１６ｂに導光された少なくとも一部の光が発光面１６ｂから出射する。このとき反射面１６ｃの作用によって、発光面１６ｂへの導光をさらに効率よく実行させることができる。
【００２６】
図４は、本発明のガスメータに適用する発光リングの他の構成例を説明するための正面図である。本実施形態の発光リング１６は、発光面１６ｂの表面にプリズムカット形状を形成している。プリズムカット形状は、例えば多角形の断面が連続して形成された形状をもつものであり、例えば三角錐や三角柱が面内に連続して配置された構成をもつものなどがある。
発光面１６ｂの表面をプリズム形状にすることにより、発光面１６ｂからの出射光の拡散性特性を最適にし、発光面１６ｂの視認性を向上させることができる。
【００２７】
図５は、本発明のガスメータに適用する発光リングの更に他の構成例を説明するための斜視図で、図５（Ａ）は発光リングを正面側斜め上方から見た斜視図、図５（Ｂ）は発光リングを背面側斜め上方から見た斜視図である。
本実施形態の発光リング１６は、図５（Ａ）に示すようなＬＥＤに対向する反射面１６ｃに加えて、図５（Ｂ）に示すように発光リング１６の背面側（つまりガスメータに取り付けたときの背面側）に反射面１６ｃ設けた構成を有している。これらの反射面１６ｃは、上記図３の実施形態と同様に、反射率の高い塗料を塗布することにより形成することができる。また反射膜等を貼り付けて形成してもよい。
【００２８】
円筒部１６の内部に収容されたＬＥＤからの出射光は、発光リング１６の内部を伝播し、その少なくとも一部が発光面１６ｂから出射する。このとき、ＬＥＤに対向する斜面に形成された反射面１６ｃと発光リング１６の背面に形成された反射面１６ｃとの作用によって、発光面１６ｂへの導光をさらに効率よく実行させることができる。
【００２９】
図６は、本発明にガスメータに適用する発光リングの更に他の構成例を説明するための斜視図である。本実施形態の発光リング１６は、その表面全体にシボを形成している。シボは凹凸の連続により構成されるもので、規則的な凹凸のパターンであってもよくまた不規則的に連続する凹凸であってもよい。凹凸の断面形状やその大きさはここでは特に限定されない。
このように発光リング１６にシボ形状の表面を付与することにより、発光リング１６の内部を伝播してシボ形状の表面で内側に反射する反射光を拡散させ、発光面１６ｂに導光する光をむらなく均一にすることができる。また発光面１６ｂにおいては、出射光を適度に拡散させることができ、これらにより、発光面１６ｂの視認性を向上させることができる。
【００３０】
本実施形態では、シボ形状は発光リング１６の周囲表面の全体に付与されるが、これに代えて周囲表面のうちの一部にシボ形状を付与してもよい。シボ形状を付与した部分によって拡散特性が向上し、反射面１６ｂからの出射光の輝度むらを改善することができる。
またシボ形状を付与した発光リング１６に対して、図３または図５に示すような反射面１６ｃを形成してもよい。これによりさらに効率的にＬＥＤからの出射光を、むらなく均一に発光面１６ｃに導くことができる。
【００３１】
以上の説明においては、流量計測装置がガスメータである例について説明したが、本発明はガスメータに限ったものでなく、気体、液体等流体一般の流量を計測する流量計測装置に適用することができる。また、実施例においては、積算流量を表示する機械式カウンタからなる積算流量表示手段と液晶表示装置からなる補助表示手段を有するガスメータについて説明したが、機械式カウンタからなる積算流量表示手段を備えることなく液晶表示装置に積算流量及び監視情報等を表示することもできる。
【図面の簡単な説明】
【００３２】
【図１】本発明によるガスメータの外観構成の一例を示す図である。
【図２】本発明に関わるガスメータの復帰スイッチの取り付け部の構成例を示す部分断面図である。
【図３】本発明のガスメータに適用する発光リングの構成例を説明するための斜視図である。
【図４】本発明のガスメータに適用する発光リングの他の構成例を説明するための正面図である。
【図５】本発明のガスメータに適用する発光リングの更に他の構成例を説明するための斜視図である。
【図６】本発明にガスメータに適用する発光リングの更に他の構成例を説明するための斜視図である。
【符号の説明】
【００３３】
１…ガスメータ、２…上カバー、３…機械式カウンタ、４…下カバー、４ａ…開口、５…液晶表示装置、６…復帰スイッチ部、１１…ゴム部材、１１ａ…柱状部、１１ｂ…曲折部、１１ｃ…操作部、１２…Ｏリング、１３…復帰スイッチ押さえ板、１５…復帰スイッチ、１６…発光リング、１６ａ…円筒部、１６ｂ…発光面、１６ｃ…反射面、１６ｄ…貫通孔、１７…ＬＥＤ。
【図１】
2008216033.tif 000003
【図２】
2008216033.tif 000004
【図３】
2008216033.tif 000005
【図４】
2008216033.tif 000006
【図５】
2008216033.tif 000007
【図６】
2008216033.tif 000008